(57)【特許請求の範囲】
【請求項１】
長方形状の１枚のシート(16,66)を３つ又は４つ以上に折畳んで１つの表紙部(14)と１つの裏紙部(13,63)と１つ又は２つ以上の内紙部(11,12)とが連続して形成されかつ各部の周縁が互いに接着された封筒構造において、前記裏紙部(13,63)が１つ又は２つ以上の窓孔(13a,13b,63a,63b,63c)と１つの切れ目(13c,63d)を有し、
前記裏紙部(13,63)とこの裏紙部(13,63)に隣接する内紙部(11)との間に文字、図形、模様又はこれらを組合せた情報を印刷したスライド紙(17,67)が摺動可能に挟込まれた状態で前記裏紙部(13,63)の周縁が前記内紙部(11)の周縁に接着され、
前記スライド紙(17,67)がその端部に前記切れ目(13c,63d)より前記裏紙部(13,63)表面に出現する引出し用舌片(18)を有し、
前記舌片(18)を引出して前記スライド紙(17,67)が摺動するとき前記舌片(18)の引出し長さに応じて前記窓孔(13a,13b,63a,63b,63c)に前記情報が順次出現するように構成された
ことを特徴とする封筒構造。
【請求項２】
舌片(18)が剥離可能に裏紙部(63)に接着されるか又は舌片(18)がこの舌片(18)を覆って裏紙部(13)に剥離可能に接着された固定用シート(24)により前記裏紙部(13)に固定された請求項１記載の封筒構造。
【請求項３】
舌片(18)又は固定用シート(24)を裏紙部(63,13)より剥離すると前記舌片(18)の先端が前記裏紙部(63,13)から浮上するように前記舌片(18)に浮上用折れ目(18a)が形成された請求項２記載の封筒構造。
【請求項４】
裏紙部(63)とスライド紙(67)との間に透明シート(68)が設けられ、前記透明シート(68)が前記スライド紙(67)の引出しを案内するように前記スライド紙(67)を被覆して前記裏紙部(63)に隣接する内紙部(11)に接着されかつ窓孔(63a,63b,63c)周縁が前記透明シート(68)の表面に接着された請求項１ないし３いずれか記載の封筒構造。
【請求項５】
スライド紙(17)の引出しを案内するように裏紙部(13)とこの裏紙部(13)に隣接する内紙部(11)とがスライド紙(17)の周辺で接着された請求項１ないし３いずれか記載の封筒構造。
【発明の詳細な説明】
【０００１】
【発明の属する技術分野】
本発明は、カード、優待券、商品カタログ又は見本等を郵送するのに適した封筒構造に関する。更に詳しくはダイレクトメールに適した封筒構造に関するものである。
【０００２】
【従来の技術】
ダイレクトメールは、広告主が訴求する必要のある顧客に限定して郵送により商品情報を提供し、顧客の購買を促すための広告手段として近年盛んに採り入れられている。ダイレクトメールで多くの商品情報を顧客に届ける場合には、封筒の中からカード、優待券、商品カタログ又は見本等を封入している。
【０００３】
【発明が解決しようとする課題】
しかし、情報が氾濫している近年においては、上記従来の封筒によるダイレクトメールの場合、ダイレクトメールであるだけでは興味を引くことができずに受取人がその封筒を開封することなく破棄してしまう場合がある。仮にこのダイレクトメールの受取人が開封しても、よく内容を読まずに破棄してしまう場合があり、ダイレクトメールの受取人における滞留期間が極めて短い不具合がある。
本発明の目的は、封筒の受取人にこの封筒に対する興味を持たせ、開封しなくても受取人にある程度の情報を与えることができ、更に受取人における滞留期間を延ばすことができる封筒構造を提供することにある。
【０００４】
【課題を解決するための手段】
請求項１に係る発明は、図１に示すように長方形状の１枚のシート１６を３つ又は４つ以上に折畳んで１つの表紙部１４と１つの裏紙部１３と１つ又は２つ以上の内紙部１１，１２とが連続して形成されかつ各部の周縁が互いに接着された封筒構造の改良である。
その特徴ある構成は、裏紙部１３が１つ又は２つ以上の窓孔１３ａ，１３ｂと１つの切れ目１３ｃを有し、裏紙部１３とこの裏紙部１３に隣接する内紙部１１との間に文字、図形、模様又はこれらを組合せた情報を印刷したスライド紙１７が摺動可能に挟込まれた状態で裏紙部１３の周縁が上記内紙部１１の周縁に接着され、スライド紙１７がその端部に切れ目１３ｃより裏紙部１３表面に出現する引出し用舌片１８を有し、舌片１８を引出してスライド紙１７が摺動するとき舌片１８の引出し長さに応じて窓孔１３ａ，１３ｂに情報が順次出現するように構成されたところにある。
この封筒構造では、窓孔１３ａ，１３ｂにスライド紙１７の情報の一部しか出現していないので、この封筒１５の受取人は封筒１５内に隠されているスライド紙１７の別の情報を知りたくなる。そこで、上記受取人は引出し用舌片１８を引出すと、スライド紙１７が摺動して窓孔１３ａ，１３ｂに別の情報が出現する。
【０００５】
請求項２に係る発明は、請求項１に係る発明であって、更に図３又は図１に示すように舌片１８が剥離可能に裏紙部６３に接着されるか又は舌片１８がこの舌片１８を覆って裏紙部１３に剥離可能に接着された固定用シート２４により裏紙部１３に固定されたことを特徴とする。
この封筒構造では、引出し用舌片１８が裏紙部６３又は１３に固定されているので、この舌片１８と一体的に形成されたスライド紙６７又は１７が封筒６５又は１５内で移動せず、舌片１８と裏紙部６３又は１３表面との間に異物が挟まることもない。
【０００６】
請求項３に係る発明は、請求項２に係る発明であって、更に図３又は図１に示すように舌片１８又は固定用シート２４を裏紙部６３又は１３より剥離すると舌片１８の先端が裏紙部６３又は１３から浮上するように舌片１８に浮上用折れ目１８ａが形成されたことを特徴とする。
この封筒構造では、引出し用舌片１８又は固定用シート２４を裏紙部６３又は１３表面から剥がすと、この舌片１８の先端が浮上用折れ目１８ａにて折れ曲がって裏紙部６３又は１３表面から浮上するので、封筒６５又は１５の受取人は容易にこの舌片１８の先端を掴むことができる。
【０００７】
請求項４に係る発明は、請求項１ないし３いずれかに係る発明であって、更に図３に示すように、裏紙部６３とスライド紙６７との間に透明シート６８が設けられ、透明シート６８がスライド紙６７の引出しを案内するようにスライド紙６７を被覆して上記裏紙部６３に隣接する内紙部１１に接着されかつ窓孔６３ａ，６３ｂ，６３ｃ周縁が透明シート６８の表面に接着されたことを特徴とする。
この封筒構造では、スライド紙６７が裏紙部６３に隣接する内紙部１１と透明シート６８との間をスムーズに摺動し、また窓孔６３ａ，６３ｂ，６３ｃが透明シート６８により塞がれるので、窓孔６３ａ，６３ｂ，６３ｃから異物が封筒６５内に侵入することがない。
【０００８】
請求項５に係る発明は、請求項１ないし３いずれかに係る発明であって、更に図１に示すようにスライド紙１７の引出しを案内するように裏紙部１３とこの裏紙部１３に隣接する内紙部１１とがスライド紙１７の周辺で接着されたことを特徴とする。
この封筒構造では、引出し用舌片１８を切れ目１８ａから引出すことによりスライド紙１７はこのスライド紙１７の幅方向に移動することなく、スムーズに摺動する。
【０００９】
【発明の実施の形態】
次に本発明の第１の実施の形態を図面に基づいて詳しく説明する。
図１及び図２に示すように、ダイレクトメール用の封筒１５は長方形状の１枚のシート１６により形成され、このシート１６をその横方向で３回折って４つに折畳むことにより連続した裏紙部１３と第１内紙部１１と表紙部１４と第２内紙部１２とが右から順に形成される。２１、２２及び２３はシート１２のそれぞれ第１折れ目、第２折れ目及び第３折れ目である（図１（ａ））。裏紙部１３は略中央に形成された１つの円形の窓孔１３ａ及び１つ矩形の窓孔１３ｂと、下部に形成された１つの切れ目１３ｃを有する。上記窓孔１３ａ，１３ｂは裏紙部１３の幅方向に並んだ状態から長手方向に所定の距離だけずらした状態で形成され、切れ１３ｃ目は裏紙部１３の幅方向略中央に所定の長さだけ幅方向に延びて形成される。また上記シート１６には折畳む前に予め図示しないが所定の事項が印刷される。ここで図１（ａ）に示されるシート１６のうち図に現れている面を、裏紙部１３は裏面とし、第１内紙部１１、表紙部１４及び第２内紙部１２はそれぞれ表面とする。
【００１０】
裏紙部１３裏面及び第１内紙部１１表面の上縁及び下縁に第１接着剤層３１がそれぞれ形成される。また上記裏紙部１３裏面及び第１内紙部１１表面のうち第１折れ目２１側とは反対側の側縁に第２接着剤層３２がそれぞれ形成され、上記裏紙部１３裏面及び第１内紙部１１表面のうち窓孔１３ａ，１３ｂを挟むように裏紙部１３及び第１内紙部１１の幅方向に所定の間隔をあけて平行に一対の第３接着剤層３３，３３がそれぞれ形成される。第２及び第３接着剤層３２，３３はホットメルト型接着剤により構成され、これらの接着剤は熱可塑性樹脂を主成分とし、常温では固体であり、８０〜１５０℃に加熱することにより溶融して接着力を発生し、更に冷却固化して接着力を発揮するようになっている。裏紙部１３裏面と第１内紙部１１表面が合わさるように裏紙部１３を第１折れ目２１にて折畳むことにより裏紙部１３が第１内紙部１１表面に第１接着剤層３１により接着される（図１（ｂ））。このとき裏紙部１３及び第１内紙部１１は第２及び第３接着剤層３２，３３による接着がなされていない状態に保たれる。
【００１１】
この状態で裏紙部１３と第１内紙部１１との間にスライド紙１７が手作業にて摺動可能に挟込まれる。このスライド紙１７には文字、図形、模様又はこれらを組合せた情報が予め印刷される、即ちスライド紙１７にはこのスライド紙１７を裏紙部１３に対して所定の位置に摺動させたときに窓孔１３ａ，１３ｂに出現する第１印刷部４１と、スライド紙１７を上記位置より所定の距離だけ摺動したときに窓孔１３ａ，１３ｂに出現する第２印刷部４２とが形成される。第１印刷部４１は円形状の窓孔１３ａに出現する円形印刷部４１ａと矩形状の窓孔１３ｂに出現する矩形印刷部４１ｂとを有し、第２印刷部４２はスライド紙１７を摺動させたときに円形状の窓孔１３ａに出現する円形印刷部４２ａと矩形状の窓孔１３ｂに出現する矩形印刷部４２ｂとを有する。第１印刷部４１には広告主が顧客に知らせたい情報の一部のみが印刷され、これらの情報に第２印刷部４２の情報を加えて初めてどのような情報であるかが顧客に理解できるようになっている。
【００１２】
スライド紙１７の端部には引出し用舌片１８がこのスライド紙１７と一体的に形成され、この舌片１８が切れ目１３ｃより裏紙部１３表面に出現するようにスライド紙１７が裏紙部１３及び第１内紙部１１の間に挟込まれる（図１（ｃ））。またスライド紙１７の幅は一対の第３接着剤層３３，３３の間隔より僅かに狭く形成され、スライド紙１７は一対の第３接着剤層３３，３３の間に位置するように挟込まれる。この状態で裏紙部１３及び第１内紙部１１を８０〜１５０℃の温度で圧接すると、第２接着剤層３２が溶融して固化し、裏紙部１３裏面及び第１内紙部１１表面のうち第１折れ目２１側とは反対側の側縁が互いに接着され、第３接着剤層３３，３３が溶融して固化し、スライド紙１７の周辺が接着される。
【００１３】
図１（ｄ）及び図２（ａ）の２４は切れ目１３ｃから裏紙部１３表面に出現した舌片１８を覆う透明の固定シートであり、このシート２４は裏紙部１３表面及び舌片１８表面に第４接着剤層（図示せず）により接着される。また１８ａは舌片１８の所定の位置に形成された浮上用折れ目である（図１（ａ）及び図２（ｂ））。表紙部１４裏面及び第２内紙部１２裏面の上縁及び下縁には図示しない第５接着剤層がそれぞれ形成され、第２内紙部１２表面及び第１内紙部１１裏面の周縁には第６接着剤層３６（図１（ｃ））がそれぞれ形成される。第４〜第６接着剤層３４，３６は植物ゴムを主成分とする透明な糊で構成され、接着後引き剥がすと舌片１８や裏紙部１３等を破らずに簡単に剥離できるものである。第２内紙部１２裏面と表紙部１４裏面とが合わさるように第２内紙部１２を第３折れ目２３にて折畳むことにより第２内紙部１２が表紙部１４裏面に第５接着剤層により接着され、この第２内紙部１２表面と第１内紙部１１裏面とが合わさるように第２内紙部１２を第２折れ目２２にて折畳むことにより第２内紙部１２が第１内紙部１１裏面に第６接着剤層３６により接着される（図１（ｄ））。
【００１４】
なお、上記実施形態ではダイレクトメール用の封筒を挙げたが、これに限定されるものではない。
また、第２内紙部と表紙部との間、又は第２内紙部と第１内紙部との間にカタログ、商品見本、パンフレット又は本等の小冊子を封入してもよい。
また、１枚のシートを２回又は４回以上折って３つ又は５つ以上に折畳んでもよい。
また、舌片を固定用シートを用いずに直接裏紙部に剥離可能に接着してもよい。
また、裏紙部に形成された窓孔の形状は円形状、矩形状ではなく他の形状でもよく、その数は１つ又は３つ以上でもよい。
更に、上記実施形態ではスライド紙に第１及び第２印刷部を形成し、スライド紙を摺動することにより２段階に分けて情報を得られるように構成したが、スライド紙に更に多くの印刷部を形成し、スライド紙を２度以上摺動することにより３段階以上に分けて情報を得られるように構成してもよい。この場合、舌片を引出してスライド紙が摺動するとき舌片の引出し長さに応じて窓孔に情報が順次出現する。
【００１５】
このように構成された封筒１５を広告主が投函する。この封筒１５を郵便局にて集配・仕分け作業時にどのように扱われても、スライド紙１７は引出し用舌片１８が固定用シート２４により固定されかつ裏紙部１３及び第１内紙部１１が一対の第３接着剤層３３，３３によりスライド紙１７の両側縁に沿って互いに接着されているので、封筒１５の長手方向及び幅方向に移動することはなく、舌片１８と裏紙部１３表面との間に異物が挟まることもない。またこの封筒１５を受け取った顧客はダイレクトメールであることを確認する一方、この封筒１５の裏面を見てこの封筒１５の構造に興味を示し、窓孔１３ａ，１３ｂに出現しているスライド紙１７の第１印刷部４１の情報（図２（ａ））に目を通す。
【００１６】
しかし第１印刷部４１には広告主が顧客に知らせたい情報の一部しか印刷されていないため、顧客は更に興味を示し、固定シート２４を剥がす。このとき裏紙部１３の切れ目１３ｃから出現している舌片１８は浮上用折れ目１８ａにて折れ曲がってその先端が裏紙部１３から浮上するので、顧客は容易に上記浮上した舌片１８の先端を掴むことができる。舌片１８の先端を掴んで引っ張ると、スライド紙１７は一対の第３接着剤層３３，３３により接着された裏紙部１３及び第１内紙部１１の間を封筒１５の幅方向にずれることなく摺動するので、窓孔１３ａ，１３ｂに第２印刷部４２が確実に出現し（図２（ｂ））、顧客は第２印刷部４２に印刷された情報に目を通す。上記スライド紙１７から得られた情報より更に詳しく情報を知りたい顧客は封筒１５を開いて封筒１５内部に印刷された情報を読む。この結果、顧客における封筒１５の滞留期間も延びる。
【００１７】
図３及び図４は本発明の第２の実施の形態を示す。図３及び図４において図１及び図２と同一符号は同一部品を示す。
この実施の形態では、裏紙部６３の略中央に１つの円形状の窓孔６３ａと１つの矩形の窓孔６３ｂと１つの三角形状の窓孔６３ｃが形成され、裏紙部６３の下部にこの裏紙部６３の幅と同一の長さを有する切れ目６３ｄが裏紙部６３の幅方向に延びて形成される。上記窓孔６３ａ，６３ｂ，６３ｃは裏紙部６３の幅方向に並んだ状態から長手方向に所定の距離だけずらした状態で形成される（図３（ａ））。また切れ目６３ｄの形成により裏紙部６３は上部裏紙部６３ｅと下部裏紙部６３ｆとに分割される。ここで図３（ａ）に示されるシート６６のうち図に現れている面を、裏紙部６３は裏面とし、第１内紙部１１、表紙部１４及び第２内紙部１２はそれぞれ表面とする。
【００１８】
下部裏紙部６３ｆ裏面の周縁と、第１内紙部１１表面のうち下部裏紙部６３ｆ裏面の周縁に対向する位置とには、第７接着剤層７７がそれぞれ形成され、上部裏紙部６３ｅ裏面の窓孔６３ａ，６３ｂ，６３ｃの周縁には第８接着剤層７８がそれぞれ形成される。下部裏紙部６３ｆを第１折れ目２１にて折畳むことにより下部裏紙部６３ｆは第１内紙部１１表面に第７接着剤層７７により接着される（図３（ｂ））。また上部裏紙部６３ｅ裏面には窓孔６３ａ，６３ｂ，６３ｃを塞ぐように矩形の透明シート６８が第８接着剤層７８により接着される。下部裏紙部６３ｆ表面の略中央には接着後剥離可能な第９接着剤層７９が形成され、スライド紙６７と一体的に形成された舌片１８はスライド紙６７が第１内紙部１１表面上に位置するように第９接着剤層７９により接着される（図３（ｃ））。
【００１９】
スライド紙６７には文字、図形、模様又はこれらを組合せた情報が予め印刷される、即ちスライド紙６７にはこのスライド紙６７を裏紙部６３に対して所定の位置に摺動させたときに窓孔６３ａ，６３ａｂ，６３ｃにそれぞれ出現する第１印刷部７１と、スライド紙６７を上記位置より所定の距離だけ摺動したときに窓孔６３ａ，６３ｂ，６３ｃにそれぞれ出現する第２印刷部７２とが形成される。第１印刷部７１は円形状の窓孔６３ａに出現する円形印刷部７１ａと矩形状の窓孔６３ｂに出現する矩形印刷部７１ｂと三角形状の窓孔６３ｃに出現する三角形印刷部７１ｃとを有し、第２印刷部７２はスライド紙６７を摺動させたときに円形状の窓孔６３ａに出現する円形印刷部７２ａと矩形状の窓孔６３ｂに出現する矩形印刷部７２ｂと三角形状の窓孔６３ｃに出現する三角形印刷部７２ｃとを有する。第１印刷部７１には広告主が顧客に知らせたい情報の一部のみが印刷され、これらの情報に第２印刷部の情報を加えて初めてどのような情報であるかが顧客には理解できるようになっている。
【００２０】
スライド紙６７の幅は透明シート６８の幅より小さく形成され、透明シート６８の両側縁と第１内紙部１１表面のうちスライド紙６７の両側縁外方とに一対の第１０接着剤層８０がそれぞれ形成される。また上部裏紙部６３ｅ裏面及び第１内紙部１１表面の周縁に第１１接着剤層８１がそれぞれ形成される。但し第１１接着剤層８１は舌片１８上と上部裏紙部６３ｅ裏面の周縁のうち上記舌片１８に対向する位置とには形成されない。上部裏紙部６３ｅ裏面と第１内紙部１１表面が合わさるように上部裏紙部６３ｅを第１折れ目１１にて折畳むことにより透明シート６８及び上部裏紙部６３ｅが第１内紙部１１表面に第１０及び第１１接着剤層８０，８１により接着され、スライド紙６７は一対の第１０接着剤層８０により接着された透明シート６８及び第１内紙部１１の間に位置するように構成される（図３（ｄ））。上記以外は第１の実施の形態の封筒と同様に構成される。
【００２１】
なお、この実施の形態では舌片を直接下部裏紙部に剥離可能に接着したが、舌片を固定シートにより接着して固定してもよい。
また、裏紙部に形成された窓孔の形状は円形状、矩形状及び三角形状ではなく他の形状でもよく、その数は１つ、２つ又は４つ以上でもよい。
更に、この実施形態ではスライド紙に第１印刷部及び第２印刷部を形成し、スライド紙を摺動することにより２段階に分けて情報を得られるように構成したが、スライド紙に更に多くの印刷部を形成し、スライド紙を２度以上摺動することにより３段階以上に分けて情報を得られるように構成してもよい。この場合、舌片を引出してスライド紙が摺動するとき舌片の引出し長さに応じて窓孔に情報が順次出現する。
【００２２】
このように構成された封筒構造では、窓孔６３ａ，６３ｂ，６３ｃから異物が侵入することがなく、またスライド紙６７を手作業ではなく機械を用いて裏紙部６３と第１内紙部１１との間に挟込むことができるので（図３（ａ）〜（ｄ））、封筒６５の製作工数を大幅に低減できることを除いて、作用は上記第１の実施の形態の封筒構造と略同様であるので、繰返しの説明を省略する。
【００２３】
【発明の効果】
以上述べたように、本発明によれば、１つ又は２つ以上の窓孔と１つの切れ目を有する裏紙部とこの裏紙部に隣接する内紙部との間に文字等の情報を印刷したスライド紙を摺動可能に挟込み、この状態で裏紙部の周縁を内紙部の周縁に接着し、スライド紙がその端部に切れ目より裏紙部表面に出現する引出し用舌片を有し、舌片を引出してスライド紙が摺動するとき舌片の引出し長さに応じて窓孔に情報が順次出現するように構成したので、封筒の受取人は窓孔に出現しているスライド紙の一部の情報から更に封筒内に隠されているスライド紙の別の情報を知りたくなる。そこで、上記受取人は引出し用舌片を引出すと、スライド紙が摺動して窓孔に別の情報が出現する。この結果、受取人に封筒に対して興味を持たせことができるので、受取人における滞留期間は延びる。また裏紙部の切れ目を裏紙部と同一幅に形成すれば、スライド紙を裏紙部とこの裏紙部に隣接する内紙部との間に挟込む作業が手作業ではなく、機械を用いて行うことができるので、封筒の製作工数を大幅に低減することができる。
【００２４】
また、舌片を剥離可能に裏紙部に接着するか又は舌片をこの舌片を覆って裏紙部に剥離可能に接着された固定用シートにて裏紙部に固定すれば、この舌片と一体的に形成されたスライド紙が封筒内で移動することがなく、舌片と裏紙部表面との間に異物が挟まることもない。
また、舌片又は固定用シートを裏紙部より剥離すると舌片の先端が裏紙部から浮上するように舌片に浮上用折れ目を形成すれば、封筒の受取人は容易にこの舌片の先端を掴むことができる。
また、裏紙部とスライド紙との間に透明シートを設け、透明シートをスライド紙の引出しを案内するようにスライド紙を被覆して上記裏紙部に隣接する内紙部に接着しかつ窓孔周縁を透明シートの表面に接着すれば、スライド紙が裏紙部に隣接する内紙部と透明シートとの間をスムーズに摺動し、また透明シートにより塞がれた窓孔から封筒内に異物が侵入することはない。
更に、スライド紙の引出しを案内するように裏紙部とこの裏紙部に隣接する内紙部とをスライド紙の周辺で接着すれば、引出し用舌片を切れ目から引出すことによりスライド紙はこのスライド紙の幅方向に移動することがなく、スムーズに摺動する。
【図面の簡単な説明】
【図１】本発明の第１実施形態の封筒の製作工程図。
【図２】その封筒のスライド紙を摺動させる手順を示す図。
【図３】本発明の第２実施形態の封筒の製作工程図。
【図４】その封筒のスライド紙を摺動させる手順を示す図。
【符号の説明】
１１  第１内紙部
１２  第２内紙部
１３，６３  裏紙部
１３ａ，１３ｂ，６３ａ，６３ｂ，６３ｃ  窓孔
１３ｃ，６３ｄ  切れ目
１４  表紙部
１５，６５  封筒
１６，６６  シート
１７，６７  スライド紙
１８  引出し用舌片
１８ａ  浮上用折れ目
２４  固定用シート
６８  透明シート
【図１】
0003767935.tif 000002
【図２】
0003767935.tif 000003
【図３】
0003767935.tif 000004
【図４】
0003767935.tif 000005